(57)【要約】【課題】機器の取付作業あるいは点検時には高所での作業を伴うことになり、安全上、簡便で短時間に作業を行うことができ、安価に製造できる機器取付構造を実現する。【解決手段】機器側面上部に機器側上部取付ピン１１ａ，１１ｂ、側面下部に機器側下部窪み１７ａ，１７ｂを設け、取付具側上部に取付具側上部切欠き２１ａ，２１ｂ、下部に取付具側下部取付ピン２７ａ，２７ｂを設けた機器取付構造とし、電柱に固定された取付具２の上部に機器１を合わせ、そこから機器１を下方向にスライドさせる事により、機器側上部取付ピン１１ａ，１１ｂを取付具側上部切欠き２１ａ，２１ｂに、機器側下部窪みを取付具側下部取付ピンに合わせ、機器１を係止吊り下げた状態にする事ができるように構成したので、取付具側上部切欠き２１ａ，２１ｂ、および、取付具側下部固定取付ピンの上下位置を、機器側面より確認する必要が無く、取付作業を容易にできる。【選択図】        図１
2004204870.tif 000002
【特許請求の範囲】
【請求項１】
取付具に取付けられる筐体であって、
取付具に取付けるための取付面を有し、
取付面の上部に取付ピンを備え、取付面の下部に下方に開口したスリットを備えたことを特徴とする筐体。
【請求項２】
前記筐体は、
取付具に取付けるための２つの取付側面を有し、
各取付側面の上部に取付ピンを備え、各取付側面の下部に下方に開口したスリットを備えたことを特徴とする請求項１に記載の筐体。
【請求項３】
前記筐体は、
各取付側面の下部に取付側面の下端が開口している略Ｕ字形状のスリットを備えたことを特徴とする請求項２に記載の筐体。
【請求項４】
前記筐体は、
各取付側面の下部にテーパが設けられたスリットを備えたことを特徴とする請求項２又は３に記載の筐体。
【請求項５】
筐体を取付ける取付具であって、
筐体を取付けるための取付面を有し、
取付面の上部に上方に開口したスリットを備え、取付面の下部に取付ピンを備えたことを特徴とする取付具。
【請求項６】
前記取付具は、
本体を有するとともに、本体の両側に筐体を取付けるための取付側面を有し、
各取付側面の上部に上方に開口したスリットを備え、各取付側面の下部に取付ピンを備えたことを特徴とする請求項５に記載の取付具。
【請求項７】
前記取付具は、
各取付側面の上部に取付側面の上端が開口している略Ｊ字形状のスリットを備えたことを特徴とする請求項６に記載の取付具。
【請求項８】
前記取付具は、
各取付側面の本体に接していない側に、筐体の取付けの際に筐体を所定位置に誘導するガイド部を備えたことを特徴とする請求項６に記載の取付具。
【請求項９】
筐体を取付具に取付ける筐体取付構造であって、
筐体は、
取付具に取付けるための取付面を有し、取付面の上部に取付ピンを備え、取付面の下部に下方に開口したスリットを備え、
取付具は、
筐体を取付けるための取付面を有し、取付面の上部に上方に開口したスリットを備え、取付面の下部に取付ピンを備え、
筐体の取付面の上部に備えた取付ピンを取付具の取付面の上部に備えたスリットに挿入し、筐体の取付面の下部に備えたスリットに取付具の下部に備えた取付ピンを挿入して筐体を取付具に取付けることを特徴とする筐体取付構造。
【請求項１０】
前記筐体は、
取付具に取付けるための２つの取付側面を有し、各取付側面の上部に取付ピンを備え、各取付側面の下部に下方に開口したスリットを備え、
前記取付具は、
本体を有するとともに本体の両側に筐体を取付けるための取付側面を有し、各取付側面の上部に上方に開口したスリットを備え、各取付側面の下部に取付ピンを備え、
筐体の取付側面の上部に備えた取付ピンを取付具の取付側面の上部に備えたスリットに挿入し、筐体の取付側面の下部に備えたスリットに取付具の下部に備えた取付ピンを挿入して筐体を取付具に取付けることを特徴とする請求項９に記載の筐体取付構造。
【請求項１１】
前記筐体は、
各取付側面の下部に取付側面の下端が開口している略Ｕ字形状のスリットを備え、
前記取付具は、
各取付側面の上部に取付側面の上端が開口している略Ｊ字形状のスリットを備えたことを特徴とする請求項１０に記載の筐体取付構造。
【請求項１２】
前記取付具は、
各取付側面の本体に接していない側に、筐体の取付けの際に筐体を所定位置に誘導するガイド部を備えたことを特徴とする請求項１０に記載の筐体取付構造。
【発明の詳細な説明】
【０００１】
【発明の属する技術分野】
この発明は、例えばＰＨＳ（登録商標）（Ｐｅｒｓｏｎａｌ  Ｈａｎｄｙｐｈｏｎｅ  Ｓｙｓｔｅｍ）中継局の機器等の筐体を電柱上に締結固定する筐体取付技術に関するものである。
【０００２】
【従来の技術】
電柱上には各種機器がバンド等により締結固定されているが、通行の邪魔あるいは、人手によるいたずらを避けるため地上５〜１０ｍの高さに設置するようにしており、ＰＨＳ中継局にあっても、上記に加え通信の障害を避けるため、できるだけ高い位置に設置するようにしている。
また、屋外に設置されることから、台風などの風雨にも耐えられるように、強固に固定する必要がある。
一方で、機器の取付作業あるいは点検時には、高所での作業を伴うことになり、安全上、簡便で短時間に作業を行うことができる機器取付構造が望まれている。
【０００３】
従来の機器取付構造として、特開２０００−２０５２１５号公報に開示された技術がある。
この技術は、図５のような取付構造が採用されていた。
図５において、１は電柱等の所定位置に取り付けられるＰＨＳ中継局などの機器、１１ａ，１１ｂ（１１ｂは図では見えない）は機器１の両側面上部に各々外側に向けて設けられた突起状の機器側上部取付ピン、１２ａ，１２ｂ（１２ｂは図では見えない）は機器１の両側面下部に各々外側に向けて設けられた突起状の機器側下部取付ピンである。
２は機器１を取り付けるための取付具で、２３ａ，２３ｂは取付具２の両側に前面側へ向かって直角に折り曲げられた取付部、２１ａ，２１ｂはそれぞれ取付部２３ａ，２３ｂの先端部上部に設けられ、上方向または前方向に開口した、溝状の取付具側上部切欠き、２２ａ，２２ｂはそれぞれ取付部２３ａ，２３ｂの先端部下部に設けられ、上方向または前方向に開口した、溝状の取付具側下部切欠き、２４は取付具２の下端に前面側に向けて折り曲げて形成されたネジ止め部、２５ａ，２５ｂは取付具２の上部に略中央に開けられた上部固定長穴、２６ａ，２６ｂは取付具２の下部に略中央に開けられた下部固定穴である。
【０００４】
次に、このように構成された機器取付構造により、機器１を取付具２に締結固定する手順について説明する。
取付具は上部固定長穴２５ａ，２５ｂと下部固定穴２６ａ，２６ｂにより、電柱に取付けられた金具にネジ止めすることにより固定されている。
取付具２の取付具側上部切欠き２１ａ，２１ｂに機器１の機器側上部取付ピン１１ａ，１１ｂが、取付具２の取付具側下部切欠き２２ａ，２２ｂに機器１の機器側下部取付ピン１２ａ，１２ｂが挿入できるよう、機器１の上下左右方向の位置決めをした後、そのまま後方向に挿入して機器１を係止吊り下げた状態にする。
この状態で、機器１は取付具２に対して、前後方向は、機器側取付ピン１１ａ，１１ｂ，１２ａ，１２ｂの軸径と取付具側切欠き２１ａ，２１ｂ，２２ａ，２２ｂの切欠き幅によって、左右方向は、機器側面外寸と取付部２３ａ，２３ｂの内寸によって、固定される。
さらに、取付ピンを上下２箇所に設けたことにより、前後方向の振れを防止している。その後、取付具２下端のネジ止め部２４に、機器１の底部をネジでねじ止めすることにより、上下方向が固定され、機器１は取付具２に完全に固定された状態となり、電柱の所定位置に締結固定される。
【０００５】
【特許文献１】
特開２０００−２０５２１５
【０００６】
【発明が解決しようとする課題】
従来の機器取付器具は上記のように構成されているので、次のような問題点があった。
従来品は、機器１からの機器側取付ピン１１ａ，１１ｂ，１２ａ，１２ｂの４本の取付ピンにより取付用金具に固定していため、機器を係止する際に、上下、左右の位置決めをした後、後方に挿入して、係止吊り下げる必要があった。
その位置決めの際、機器１の正面から作業をすると、機器の後側にある、取付具側切欠き２１ａ，２１ｂ，２２ａ，２２ｂの位置が分かりにくく、機器側面より位置確認する必要があり、作業性が悪いという問題点があった。
【０００７】
この発明は、上記の問題点に鑑みてなされたものであり、電柱への取付作業が容易な、機器取付構造を提供することを目的とする。
【０００８】
【課題を解決するための手段】
本発明に係る筐体は、
取付具に取付けられる筐体であって、
取付具に取付けるための取付面を有し、
取付面の上部に取付ピンを備え、取付面の下部に下方に開口したスリットを備えたことを特徴とする。
【０００９】
【発明の実施の形態】
実施の形態１．
以下、本発明の実施の形態１を、図に基づいて説明する。
図１は筐体の例である機器、取付具の構造を示す斜視図であり、図２は機器の取り付け方法を示す側面図であり、図３は機器の取り付け状態を示す側面図である。
図１において、１は電柱等の所定位置に取り付けられるＰＨＳ中継局などの機器（筐体）、１０ａ，１０ｂは、機器１側の取付面の例である機器側側面（取付側面）、１１ａ，１１ｂ（１１ｂは図では見えない）は機器１の両側面上部に各々外側に向けて設けられた突起状の機器側上部取付ピン、１７ａ，１７ｂ（１７ｂは図では見えない）は機器１の両側面下部に各々下方向に開口して設けられた略Ｕ字形状の機器側下部窪み（スリット）である。
２は機器１を取り付けるための取付具で、２０は本体、２３ａ，２３ｂは取付具２の本体２０の両側に前面側へ向かって直角に折り曲げられた取付部（取付面、取付側面）、２１ａ，２１ｂはそれぞれ取付部２３ａ，２３ｂの先端部上部に設けられ、上と前方向に開口して設けられた略Ｊ字形状の取付具側上部切欠き（スリット）、２７ａ，２７ｂはそれぞれ取付部２３ａ，２３ｂの先端部下部に内側に向けて設けられた取付具側下部取付ピン、２４は取付具２の下端に前面側に向けて折り曲げて形成されたネジ止め部、２５ａ，２５ｂは取付具２の上部に略中央に開けられた上部固定長穴、２６ａ，２６ｂは取付具２の下部に略中央に開けられた下部固定穴である。
【００１０】
機器１を取付具２に締結固定する手順について説明する。
まず、図２のように、電柱に固定された取付具２の上部切欠きの端面に機器１の上部取付ピン１１ａ，１１ｂを合わせ、そこから機器１を下方向にスライドさせる事により、機器側上部取付ピン１１ａ，１１ｂを取付具側上部切欠き２１ａ，２１ｂに挿入し、機器側下部窪み１７ａ，１７ｂに取付具側下部取付ピン２７ａ，２７ｂに挿入し、係止することにより、図３のように、機器１を係止吊り下げた状態にする。
この際、機器側下部窪みは、一定角度のテーパが取ってあり、下方向にスライドする際に、取付具側下部取付ピンを拾いやすい構造となっている。
この状態で、機器１は取付具２に対して、前後、左右方向に固定されたことになり、さらに上下２箇所の係止部により前後の振れが防止されている。
この後、取付具２下端のネジ止め部２４に、機器１の底部をネジでネジ止めすることにより、機器１は取付具２に上下方向が固定され、完全に固定された状態となり、電柱の所定位置に締結固定されたことになる。
【００１１】
なお、以上の説明では、図１に示すように、上方及び前方に開口した略Ｊ字形状の取付具側上部切欠き２１ａ、２１ｂを用いていたが、図６に示すように上方だけに開口した略Ｕ字形状の取付具上部切欠きとしてもよい。このような形状の取付具上部切欠き部であっても機器１を上方からスライドさせて取付具２に係止吊り下げることができる。
また、以上の説明では、機器１は、機器の本体と機器側側面１０ａ、１０ｂとが区別された二段構成であり、機器側側面１０ａ、１０ｂに機器側上部取付ピン１１ａ、１１ｂ及び機器側下部窪み１７ａ、１７ｂが設けられた構成になっていたが、図７に示すように機器１を一段構成とし、機器本体の側面に機器側上部取付ピン１１ａ、１１ｂ及び機器側下部窪み１７ａ、１７ｂが設けられた構成としてもよい。
【００１２】
以上述べたように、本実施の形態によれば、機器取付の際に、スライドさせ係止吊り下げた状態にする為、取付具側上部切欠き２１ａ，２１ｂ、および、取付具側下部取付ピン２７ａ，２７ｂの上下位置を、確認する必要が無く、取付作業を容易にできる効果がある。
つまり、電柱に固定された取付具２の上部に機器１を合わせ、そこから機器１を下方向にスライドさせる事により、機器側上部取付ピン１１ａ，１１ｂを取付具側上部切欠き２１ａ，２１ｂに、機器側下部窪みを取付具側下部取付ピンに合わせ、機器１を係止吊り下げた状態にする事ができるように構成したので、取付具側上部切欠き２１ａ，２１ｂ、および、取付具側下部取付ピン２７ａ，２７ｂの上下位置を、確認する必要が無く、取付作業が容易にできる効果がある。
【００１３】
実施の形態２．
本発明の実施の形態２を図４に基づいて説明する。
これは、実施の形態１の取付部２３ａ，２３ｂ先端よりさらに前面側（取付具の本体に接していない側）にむけて形成されたガイド部２８ａ，２８ｂを設けたものである。このガイド部を設けることにより、機器取付時に、左右方向のずれを吸収し、機器を取付具の真正面に導くことにより、機器の取付が、より容易になる。
【００１４】
以上の説明では、筐体の例としてＰＨＳ中継局等の機器を用いたが、他のいかなる筐体であってもかまわない。
また、以上の説明では、機器側の取付ピン及び取付具側の取付ピンの形状を円形状としたが、他の形状であってもかまわない。
また、以上の説明では、機器側下部窪みを略Ｕ字形状とし、取付具側上部切欠きを略Ｊ字形状又は略Ｕ字形状としたが、機器を取付具に係止吊り下げられるのであれば、他の形状であってもよい。
【００１５】
ここで、実施の形態１、実施の形態２に示した機器取付構造の特徴を再現する。
【００１６】
実施の形態１に示した機器取付構造は、機器の上部両側面より外側に突出した取付ピン、下部両側面に下方向に開口した窪みが設けられ、取付具の両側に、前面側に向けて形成された取付部の上部に上方向に開口した切欠き、取付部の下部に内側に突出した取付ピンが設けられていることを特徴とする。
【００１７】
実施の形態２に示した機器取付構造は、取付部先端よりさらに前面側にむけて形成されたガイド部を設けたことを特徴とする。
【００１８】
【発明の効果】
本発明によれば、筐体を取付具に取付ける際に、筐体を下方にスライドさせることにより取付けることができるため、筐体の取付ピンの上下位置を確認する必要がなく、取付け作業を容易にすることができる。
【図面の簡単な説明】
【図１】この発明の実施の形態１における機器、取付具の構造を示す斜視図である。
【図２】この発明の実施の形態１における機器の取り付け方法を示す側面図である。
【図３】この発明の実施の形態１における機器の取り付け状態を示す側面図である。
【図４】この発明の実施の形態２における機器、取付具の構造および機器の取り付け状態を示す斜視図である。
【図５】従来の機器取付器具の構造および機器の取り付け状態を示す斜視図である。
【図６】この発明の実施の形態１における機器、取付具の構造を示す側面図である。
【図７】この発明の実施の形態１における機器、取付具の構造を示す斜視図である。
【符号の説明】
１  機器、２  取付具、１０ａ  機器側側面、１０ｂ  機器側側面、１１ａ  機器側上部取付ピン、１１ｂ  機器側上部取付ピン、１２ａ  機器側下部取付ピン、１２ｂ  機器側下部取付ピン、１７ａ  機器側下部窪み、１７ｂ  機器側下部窪み、２０  本体、２１ａ  取付具側上部切欠き、２１ｂ  取付具側上部切欠き、２２ａ  取付具側下部切欠き、２２ｂ  取付具側下部切欠き、２３ａ  取付部、２３ｂ  取付部、２４  ネジ止め部、２５ａ  上部固定長穴、２５ｂ  上部固定長穴、２６ａ  下部固定穴、２６ｂ  下部固定穴、２７ａ  取付具側下部取付ピン、２７ｂ  取付具側下部取付ピン、２８ａ  ガイド部、２８ｂ  ガイド部。
【図１】
2004204870.tif 000003
【図２】
2004204870.tif 000004
【図３】
2004204870.tif 000005
【図４】
2004204870.tif 000006
【図５】
2004204870.tif 000007
【図６】
2004204870.tif 000008
【図７】
2004204870.tif 000009